(57)【特許請求の範囲】
【請求項１】
開口部と側壁部と底面部とを備えた凹部である乾電池収納室と、
前記乾電池収納室の側壁部に配置された電極端子部材と、
前記電極端子部材に設けられ、前記乾電池収納室の底面部の側に位置するとともに前記乾電池収納室である凹部に向かって突出した正極端子部と、
前記電極端子部材に設けられ、前記乾電池収納室の開口部の側に位置するとともに前記乾電池収納室である凹部に向かって前記正極端子部よりも突出した負極端子部と、を備え、
前記負極端子部と前記正極端子部の中間又は中間付近にて、前記乾電池収納室の側壁部から前記乾電池収納室である凹部に向かって突出した絶縁性リブ部を設け、
前記絶縁性リブ部の突出高さは、前記電極端子部材の正極端子部の突出高さより高く、前記電極端子部材の負極端子部の突出高さより低いこと、を特徴とする乾電池の収納構造。
【請求項２】
請求項１に記載する乾電池の収納構造であって、
前記電極端子部材の両側にて、前記乾電池収納室の開口部の縁端から前記乾電池収納室の開口部に向かって張り出した一対の絶縁性フランジ部を設け、
前記一対の絶縁性フランジ部の間隔は、前記乾電池収納室にセットされる円筒型乾電池の外径よりも小さいこと、を特徴とする乾電池の収納構造。
【請求項３】
請求項１又は請求項２に記載する乾電池の収納構造であって、
前記負極端子部が板バネであること、を特徴とする乾電池の収納構造。
【請求項４】
請求項１又は請求項２に記載する乾電池の収納構造であって、
前記負電極端子部がコイルバネであること、を特徴とする乾電池の収納構造。
【発明の詳細な説明】
【技術分野】
【０００１】
本発明は、正極端子部及び負極端子部が設けられた電極端子部材を有する乾電池の収納構造に関するものである。
【背景技術】
【０００２】
下記特許文献１には、１段で乾電池を収納する電池収納部が記載されている。その電池収納部では、乾電池が長手方向に直列で収納される。さらに、直列に接続された接点とその接点回りの乾電池付近は、異物侵入防止部材に覆われる。従って、下記特許文献１に記載の電池収納部では、異物侵入防止部材により、接点付近に異物が挿入されるのを防いでいた。
【先行技術文献】
【特許文献】
【０００３】
【特許文献１】国際公開第２００６／００６３３１号
【発明の概要】
【発明が解決しようとする課題】
【０００４】
もっとも、図８に表したように、上下の２段で乾電池をセットする乾電池収納室１００１では、一つの電極端子部材１００２が上段と下段とに渡って設けられる場合がある。そのような場合には、下段に位置する電極端子部材１００２の正極端子部１００３に乾電池１００４の正極端子１００５が乗り上がって、その乾電池１００４が下段と上段とに渡って斜めとなる異常状態に配置されること（以下、単に「異常配置状態」という。）がある。
【０００５】
従って、「異常配置状態」の乾電池１００４の正極端子１００５の側にある外装ラベル（被覆）の上側近辺には、上段に位置する電極端子部材１００２の負極端子部１００６の突出部分１００７が存在することになる。よって、何らかの衝撃が生じれば、上段に位置する電極端子部材１００２の負極端子部１００６の突出部分１００７が「異常配置状態」の乾電池の外装ラベル（被覆）を傷つけるおそれがあった。
【０００６】
また、上下の２段で乾電池を乾電池収納室１００１にセットさせるため、「異常配置状態」の乾電池１００４の上側から別の乾電池が乾電池収納室１００１に押し込まれると、上段に位置する電極端子部材１００２の負極端子部１００６の突出部分１００７が当該別の乾電池の押し込みによって上から下に押し付けられる。このとき、上段に位置する電極端子部材１００２の負極端子部１００６の突出部分１００７が、「異常配置状態」の乾電池１００４と当該別の乾電池との間に介在すると、「異常配置状態」の乾電池１００４の外装ラベル（被覆）を傷つけるおそれがあった。
【０００７】
もし、このようにして、上段に位置する電極端子部材１００２の負極端子部１００６の突出部分１００７で「異常配置状態」の乾電池１００４の外装ラベル（被覆）が傷つけられると、下段に位置する電極端子部材１００２の正極端子部１００３には「異常配置状態」の乾電池１００４の正極端子１００５が乗り上がって接続されていることから、「異常配置状態」の乾電池１００４がショートすることが予想される。
【０００８】
そこで、本発明は、上述した点を鑑みてなされたものであり、正極端子部及び負極端子部が設けられた電極端子部材付近で乾電池の配置状態が「異常配置状態」になることを防止できる乾電池の収納構造を提供することを課題とする。
【課題を解決するための手段】
【０００９】
この課題を解決するためになされた請求項１に係る発明は、乾電池の収納構造であって、開口部と側壁部と底面部とを備えた凹部である乾電池収納室と、前記乾電池収納室の側壁部に配置された電極端子部材と、前記電極端子部材に設けられ、前記乾電池収納室の底面部の側に位置するとともに前記乾電池収納室である凹部に向かって突出した正極端子部と、前記電極端子部材に設けられ、前記乾電池収納室の開口部の側に位置するとともに前記乾電池収納室である凹部に向かって前記正極端子部よりも突出した負極端子部と、を備え、前記負極端子部と前記正極端子部の中間又は中間付近にて、前記乾電池収納室の側壁部から前記乾電池収納室である凹部に向かって突出した絶縁性リブ部を設け、前記絶縁性リブ部の突出高さは、前記電極端子部材の正極端子部の突出高さより高く、前記電極端子部材の負極端子部の突出高さより低いこと、を特徴とする。
【００１０】
また、請求項２に係る発明は、請求項１に記載する乾電池の収納構造であって、前記電極端子部材の両側にて、前記乾電池収納室の開口部の縁端から前記乾電池収納室の開口部に向かって張り出した一対の絶縁性フランジ部を設け、前記一対の絶縁性フランジ部の間隔は、前記乾電池収納室にセットされる円筒型乾電池の外径よりも小さいこと、を特徴とする。
【００１１】
また、請求項３に係る発明は、請求項１又は請求項２に記載する乾電池の収納構造であって、前記負極端子部が板バネであること、を特徴とする。
【００１２】
また、請求項４に係る発明は、請求項１又は請求項２に記載する乾電池の収納構造であって、前記負電極端子部がコイルバネであること、を特徴とする。
【発明の効果】
【００１３】
すなわち、本発明の乾電池の収納構造では、乾電池収納室の側壁部に配置された電極端子部材を備える。当該電極端子部材には、正極端子部と負極端子部とが設けられる。さらに、当該電極端子部材に設けられた負極端子部と正極端子部の中間又は中間付近には、乾電池収納室の側壁部から乾電池収納室である凹部に向かって突出した絶縁性リブ部が設けられる。従って、当該電極端子部材の負極端子部と正極端子部の中間又は中間付近には、絶縁性リブ部が現に存在する。絶縁性リブ部の突出高さは、電極端子部材の正極端子部の突出高さより高く、電極端子部材の負極端子部の突出高さより低い。よって、当該電極端子部材の負極端子部と正極端子部の中間又は中間付近において、乾電池収納室にセットされる乾電池の正極端子が介在することは、絶縁性リブ部により阻まれる。
【００１４】
この点、当該電極端子部材の正極端子部は、乾電池収納室の底面部の側に位置するとともに乾電池収納室の凹部に向かって突出したものである。しかしながら、乾電池収納室にセットされる乾電池の正極端子は、絶縁性リブ部で阻止されることにより、乾電池収納室の開口部の側で当該電極端子部材の正極端子部に乗り上がる状態にはならない。よって、本発明の乾電池の収納構造では、正極端子部及び負極端子部が設けられた当該電極端子部材の付近で乾電池の配置状態が「異常配置状態」になることを防止できる。
【００１５】
また、当該電極端子部材の負極端子部は、乾電池収納室の開口部の側に位置するとともに乾電池収納室である凹部に向かって正極端子部よりも突出したものである。しかしながら、上述したように、乾電池収納室にセットされる乾電池の正極端子は、絶縁性リブ部で阻止されることにより、乾電池収納室の開口部の側で当該電極端子部材の正極端子部に乗り上がる状態にはならない。よって、本発明の乾電池の収納構造では、乾電池収納室の底面部の側に位置する当該電極端子部材の正極端子部に接続された乾電池に対し、正極端子の側にある外装ラベル（被覆）が当該電極端子部材の負極端子部で傷つけることもない。
【００１６】
また、本発明の乾電池の収納構造では、当該電極端子部材の両側にて、乾電池収納室の開口部の縁端から乾電池収納室の開口部に向かって張り出した一対の絶縁性フランジ部が設けられる。一対の絶縁性フランジ部の間隔は、乾電池収納室にセットされる円筒型乾電池の外径よりも小さい。従って、乾電池収納室にセットされる円筒型乾電池が乾電池収納室に落下しても、一対の絶縁性フランジ部が妨げとなり、乾電池収納室の開口部の側に位置する当該電極端子部材の負極端子部に対し、落下中の円筒型乾電池が衝突することはない。よって、本発明の乾電池の収納構造では、乾電池収納室の開口部の側に位置するとともに乾電池収納室である凹部に向かって正極端子部よりも突出した当該電極端子部材の負極端子部に対し、乾電池収納室にセットされる円筒型乾電池の落下等の衝突を起因した永久変形を防ぐことができる。
【００１７】
尚、本発明の乾電池の収納構造において、当該電極端子部材の負極端子部としては、板バネ又はコイルバネがある。
【図面の簡単な説明】
【００１８】
【図１】本発明の第１実施形態に係る乾電池の収納構造が備えられた筐体の平面図である。
【図２】図１の矢視Ａで表された筐体の断面図である。
【図３】図１の矢視Ｂで表された筐体の断面図（但し、図１と比べ、４個の乾電池が収納済の図）である。
【図４】本発明の第２実施形態に係る乾電池の収納構造が備えられた筐体の平面図である。
【図５】図４の矢視Ｘで表された筐体の断面図である。
【図６】図４の矢視Ｙで表された筐体の断面図（但し、図４と比べ、４個の乾電池が収納済の図）である。
【図７】乾電池の収納形態の一例を説明するための図である。
【図８】従来技術の乾電池の収納構造が表された断面図である。
【発明を実施するための形態】
【００１９】
［１．第１実施形態］
以下、本発明の第１実施形態に係る乾電池の収納構造について説明する。図１乃至図３に表されたように、携帯型ラベルプリンタに用いられる筐体１には、第１実施形態に係る乾電池の収納構造を備えた乾電池収納室１０が設けられる。乾電池収納室１０は、略直方体形状の凹部１１であり、開口部１２、側壁部１３、及び底面部１４を有する。
【００２０】
乾電池収納室１０の側壁部１３には、電極端子部材１５が設けられる。電極端子部材１５は、正極端子部１６と負極端子部１７とを有する。正極端子部１６は、乾電池収納室１０の底面部１４の側に位置するとともに乾電池収納室１０である凹部１１に向かって突出するものである。負極端子部１７は、乾電池収納室１０の開口部１２の側に位置するとともに乾電池収納室１０である凹部１１に向かって正極端子部１６よりも突出したものである。
【００２１】
電極端子部材１５は、板バネである。従って、電極端子部材１５の負極端子部１７は、板バネ部材が折り曲げられた形態をしている。そのような３個の電極端子部材１５が、乾電池収納室１０の側壁部１３において、乾電池収納室１０の底面部１４に対して垂直な方向で並列に配置される。
【００２２】
また、乾電池収納室１０の側壁部１３には、３個の絶縁性リブ部２１が設けられる。各絶縁性リブ部２１は、電極端子部材１５が有する負極端子部１７と正極端子部１６の中間の片側にて、乾電池収納室１０の側壁部１３から凹部１１に向かって突出した突起状のものである。各絶縁性リブ部２１の突出高さは、電極端子部材１５の正極端子部１６の突出高さより高く、電極端子部材１５の負極端子部１７の突出高さより低い。
【００２３】
さらに、各電極端子部材１５の両側には、一対の絶縁性フランジ部３１が設けられる。各絶縁性フランジ部３１は、乾電池収納室１０の開口部１２の縁端１２Ａから乾電池収納室１０の開口部１２に向かって張り出したものである。各絶縁性フランジ部３１の張出長さは、電極端子部材１５の負極端子部１７の突出高さより長い。また、一対の絶縁性フランジ部３１の間隔Ｓ（図３参照）は、乾電池収納室１０にセットされる円筒型乾電池４１の外径Ｄ（図３参照）よりも小さい。
【００２４】
尚、円筒型乾電池４１は、Ｎｉ−ＭＨ電池（ニッケル・水素充電池）である。
【００２５】
一方、乾電池収納室１０において、側壁部１３とは対向する側壁部５１には、負極端子部用の電極端子部材５２と正極端子部用の電極端子部材５３とが設けられる。負極端子部用の電極端子部材５２は、板バネの形態を有し、電極端子部材１５の正極端子部１６に対向する位置に設けられる。従って、負極端子部用の電極端子部材５２は、３個あり、乾電池収納室１０の底面部１４の側に位置する。また、正極端子部用の電極端子部材５３は、板バネの形態を有し、電極端子部材１５の負極端子部１７に対向する位置に設けられる。従って、正極端子部用の電極端子部材５３は、３個あり、乾電池収納室１０の開口部１２の側に位置する。
【００２６】
［２．第２実施形態］
以下、本発明の第２実施形態に係る乾電池の収納構造について説明する。図４乃至図６に表されたように、携帯型ラベルプリンタに用いられる筐体１０１には、第２実施形態に係る乾電池の収納構造を備えた乾電池収納室１１０が設けられる。乾電池収納室１１０は、略直方体形状の凹部１１１であり、開口部１１２、側壁部１１３、及び底面部１１４を有する。
【００２７】
乾電池収納室１１０の側壁部１１３には、電極端子部材１１５が設けられる。電極端子部材１１５は、正極端子部１１６と負極端子部１１７とを有する。正極端子部１１６は、乾電池収納室１１０の底面部１１４の側に位置するとともに乾電池収納室１１０である凹部１１１に向かって突出するものである。負極端子部１１７は、乾電池収納室１１０の開口部１１２の側に位置するとともに乾電池収納室１１０である凹部１１１に向かって正極端子部１１６よりも突出したものである。
【００２８】
電極端子部材１１５は、コイルバネである。従って、電極端子部材１１５の負極端子部１１７及び正極端子部１１６は、一本の線材でコイル状に形成されている。そのような３個の電極端子部材１１５が、乾電池収納室１１０の側壁部１１３において、乾電池収納室１１０の底面部１１４に対して垂直な方向で並列に配置される。
【００２９】
また、乾電池収納室１１０の側壁部１１３には、３個の絶縁性リブ部１２１が設けられる。各絶縁性リブ部１２１は、電極端子部材１１５が有する負極端子部１１７と正極端子部１１６の中間の片側にて、乾電池収納室１１０の側壁部１１３から凹部１１１に向かって突出した突起状のものである。各絶縁性リブ部１２１の突出高さは、電極端子部材１１５の正極端子部１１６の突出高さより高く、電極端子部材１１５の負極端子部１１７の突出高さより低い。
【００３０】
さらに、各電極端子部材１１５の両側には、一対の絶縁性フランジ部１３１が設けられる。各絶縁性フランジ部１３１は、乾電池収納室１１０の開口部１１２の縁端１１２Ａから乾電池収納室１１０の開口部１１２に向かって張り出したものである。各絶縁性フランジ部１３１の張出長さは、電極端子部材１１５の負極端子部１１７の突出高さより長い。また、一対の絶縁性フランジ部１３１の間隔Ｓ（図６参照）は、乾電池収納室１１０にセットされる円筒型乾電池１４１の外径Ｄ（図６参照）よりも小さい。
【００３１】
尚、円筒型乾電池１４１は、Ｎｉ−ＭＨ電池（ニッケル・水素充電池）である。
【００３２】
一方、乾電池収納室１１０において、側壁部１１３とは対向する側壁部１５１には、負極端子部用の電極端子部材１５２と正極端子部用の電極端子部材１５３とが設けられる。負極端子部用の電極端子部材１５２は、板バネの形態を有し、電極端子部材１１５の正極端子部１１６に対向する位置に設けられる。従って、負極端子部用の電極端子部材１５２は、３個あり、乾電池収納室１１０の底面部１１４の側に位置する。また、正極端子部用の電極端子部材１５３は、板バネの形態を有し、電極端子部材１１５の負極端子部１１７に対向する位置に設けられる。従って、正極端子部用の電極端子部材１５３は、３個あり、乾電池収納室１１０の開口部１１２の側に位置する。
【００３３】
［３．まとめ］
すなわち、各実施形態に係る乾電池の収納構造では、乾電池収納室１０，１１０の側壁部１３，１１３に配置された３個の電極端子部材１５，１１５を備える。各電極端子部材１５，１１５には、正極端子部１６，１１６と負極端子部１７，１１７とが設けられる。さらに、各電極端子部材１５，１１５に設けられた負極端子部１７，１１７と正極端子部１６，１１６の中間の片側には、乾電池収納室１０，１１０の側壁部１３，１１３から乾電池収納室１０，１１０である凹部１１，１１１に向かって突出した絶縁性リブ部２１，１２１が設けられる。従って、各電極端子部材１５，１１５の負極端子部１７，１１７と正極端子部１６，１１６の中間の片側には、絶縁性リブ部２１，１２１が現に存在する。よって、各電極端子部材１５，１１５の負極端子部１７，１１７と正極端子部１６，１１６の中間において、乾電池収納室１０，１１０にセットされる円筒型乾電池４１，１４１の正極端子４２，１４２が介在することは、絶縁性リブ部２１，１２１により阻まれる。
【００３４】
この点、各電極端子部材１５，１１５の正極端子部１６，１１６は、乾電池収納室１０，１１０の底面部１４，１１４の側に位置するとともに乾電池収納室１０，１１０である凹部１１，１１１に向かって突出したものである。しかしながら、乾電池収納室１０，１１０にセットされる円筒型乾電池４１，１４１の正極端子４２，１４２は、絶縁性リブ部２１，１２１で阻止されることにより、乾電池収納室１０，１１０の開口部１２，１１２の側で各電極端子部材１５，１１５の正極端子部１６，１１６に乗り上がる状態にはならない。よって、各実施形態に係る乾電池の収納構造では、正極端子部１６，１１６及び負極端子部１７，１１７が設けられた各電極端子部材１５，１１５の付近で円筒型乾電池４１，１４１の配置状態が「異常配置状態」になることを防止できる。
【００３５】
また、各電極端子部材１５，１１５の負極端子部１７，１１７は、乾電池収納室１０，１１０の開口部１２，１１２の側に位置するとともに乾電池収納室１０，１１０である凹部１１，１１１に向かって正極端子部１６，１１６よりも突出したものである。しかしながら、上述したように、乾電池収納室１０，１１０にセットされる円筒型乾電池４１，１４１の正極端子４２，１４２は、絶縁性リブ部２１，１２１で阻止されることにより、乾電池収納室１０，１１０の開口部１２，１１２の側で各電極端子部材１５，１１５の正極端子部１６，１１６に乗り上がる状態にはならない。よって、各実施形態に係る乾電池の収納構造では、乾電池収納室１０，１１０の底面部１４，１１４の側に位置する各電極端子部材１５，１１５の正極端子部１６，１１６に接続された円筒型乾電池４１，１４１に対し、正極端子４２，１４２の側にある外装ラベル（被覆）が各電極端子部材１５，１１５の負極端子部１７，１１７で傷つけることもない。
【００３６】
また、各実施形態に係る乾電池の収納構造では、各電極端子部材１５，１１５の両側にて、乾電池収納室１０，１１０の開口部１２，１１２の縁端１２Ａ，１１２Ａから乾電池収納室１０，１１０の開口部１２，１１２に向かって張り出した一対の絶縁性フランジ部３１，１３１が設けられる。一対の絶縁性フランジ部３１，１３１の間隔Ｓは、乾電池収納室１０，１１０にセットされる円筒型乾電池４１，１４１の外径Ｄよりも小さい。従って、乾電池収納室１０，１１０にセットされる円筒型乾電池４１，１４１が乾電池収納室１０，１１０に落下しても、一対の絶縁性フランジ部３１，１３１が妨げとなり、乾電池収納室１０，１１０の開口部１２，１１２の側に位置する各電極端子部材１５，１１５の負極端子部１７，１１７に対し、落下中の円筒型乾電池４１，１４１が衝突することはない。よって、各実施形態に係る乾電池の収納構造では、乾電池収納室１０，１１０の開口部１２，１１２の側に位置するとともに乾電池収納室１０，１１０である凹部１１，１１１に向かって正極端子部１６，１１６よりも突出した各電極端子部材１５，１１５の負極端子部１７，１１７に対し、乾電池収納室１０，１１０にセットされる円筒型乾電池４１，１４１の落下等の衝突を起因した永久変形を防ぐことができる。
【００３７】
［４．その他］
尚、本発明は上記実施形態に限定されるものでなく、その趣旨を逸脱しない範囲で様々な変更が可能である。
［４．−１  突起の位置・個数］
例えば、絶縁性リブ部２１，１２１は、各電極端子部材１５，１１５に設けられた負極端子部１７，１１７と正極端子部１６，１１６の中間の両側に設けてもよい。また、絶縁性リブ部２１，１２１は、乾電池収納室１０，１１０に円筒型乾電池４１，１４１がセットされることを妨げる位置でなければ、各電極端子部材１５，１１５に設けられた負極端子部１７，１１７と正極端子部１６，１１６の中間付近に設けてもよい。
［４．−２  乾電池収納室における円筒型乾電池のセット形態］
また、各実施の形態に係る乾電池の収納構造は、図３や図６に表されたように、乾電池収納室１０，１１０の底面部１４，１１４に対して垂直な方向で円筒型乾電池４１，１４１がセットされるものであるが、図７に表されたように、斜めの方向で円筒型乾電池４１，１４１がセットされるものでもよい。
［４．−３  電極端子部材の個数］
また、各実施の形態に係る乾電池の収納構造は、３個の電極端子部材１５，１１５が乾電池収納室１０，１１０の側壁部１３，１１３に並列に配置されるものであるが、２個又は４個以上の電極端子部材１５，１１５が乾電池収納室１０，１１０の側壁部１３，１１３に並列に配置されるものでもよい。あるいは、１個の電極端子部材１５，１１５が乾電池収納室１０，１１０の側壁部１３，１１３に配置されるものでもよい。
【符号の説明】
【００３８】
１０，１１０      乾電池収納室
１１，１１１      凹部
１２，１１２      開口部
１２Ａ，１１２Ａ  乾電池収納室の開口部の縁端
１３，１１３      側壁部
１４，１１４      底面部
１５，１１５      電極端子部材
１６，１１６      正極端子部
１７，１１７      負極端子部
２１，１２１      絶縁性リブ部
３１，１３１      絶縁性フランジ部
４１，１４１      円筒型乾電池
Ｄ      円筒型乾電池の外径
Ｓ      絶縁性フランジ部の間隔
【図１】
0005884483.tif 000002
【図２】
0005884483.tif 000003
【図３】
0005884483.tif 000004
【図４】
0005884483.tif 000005
【図５】
0005884483.tif 000006
【図６】
0005884483.tif 000007
【図７】
0005884483.tif 000008
【図８】
0005884483.tif 000009